(57)【特許請求の範囲】
【請求項１】
工場に設置された工作機械や作業現場から発生するダストを収集して、捕集容器内の集塵袋に回収した後、この集塵袋を捕集容器内より取り出して廃棄処理するように構成した集塵装置であって、
開口された上記捕集容器の上面口を塞ぐ蓋体と、
収集されたダストを蓋体に設けた排出口を通して上記捕集容器内の集塵袋に送り込んで回収せしめる排出部と、
上記集塵袋の上端口を開口状態に保持することができる環状体と、
上記集塵袋の上端口に取付け自在に構成した環状体を、上記捕集容器の内側部に対して、上記蓋体の底面及び捕集容器の内側面との間に夫々間隔を保った状態で据え付けることができる保持具とによって構成したことを特徴とするダスト回収機構を備えた集塵装置。
【請求項２】
前記環状体の全体が、前記捕集容器の上部内側に据え付け可能なリング状に形成され、前記保持具が、一方に上記集塵袋の上端口に取付けた環状体に取付け可能な固定具を備え、他方には上記捕集容器の内側面又は外側面に固着可能な固着具を備えると共に、これ等固定具と固着具の間がワイヤー又は紐体で造った連結体にて連結して構成されていることを特徴とする請求項１に記載のダスト回収機構を備えた集塵装置。
【請求項３】
前記環状体に取付け可能な固定具がクリップ状の挟持具であり、前記捕集容器の内側面又は外側面に固着可能な固着具が、永久磁石を用いて構成されていることを特徴とする請求項２に記載のダスト回収機構を備えた集塵装置。
【請求項４】
前記環状体が、前記捕集容器の内部に収納可能で、且つ、下端部の内径を上端部の内径よりも若干大きく形成した自立型の断面略円筒状に形成されると共に、前記クリップ状に形成した固定具が、上記円筒状環状体の内部に収めた前記集塵袋の上端口を、当該円筒状環状体の上端縁に取付けるように構成したことを特徴とする請求項１に記載のダスト回収機構を備えた集塵装置。
【請求項５】
前記捕集容器の上面口を塞ぐ蓋体の底面に、前記排出部及び排出口を通して落下して来るダストを前記集塵袋の内部にガイドするガイド筒体を垂設すると共に、このガイド筒体の外側に前記リング状の環状体、又は、前記円筒状環状体の上端部が間隔を開けた状態で配置されることを特徴とする請求項１、２、３又は４に記載のダスト回収機構を備えた集塵装置。
【請求項６】
ダストを収集する集塵機の機体又は集塵機取付台に設けた支点部と、この支点部に回動自在に取付けられた前記捕集容器の蓋体を上下に開閉作動するための蓋体リフト用アームと、蓋体リフト用アームの中間部と、上記蓋体の上部との間を連結する中間連結部材と、上記蓋体リフト用アームの中間部と、その上方部に位置する上記集塵機の機体又は集塵機取付台との間に設けられていて、蓋体リフト用アームによって蓋体が上記捕集容器の上面口を塞いだ状態に降下作動されると、この塞いだ状態を維持できるように構成されたラッチ機構と、当該ラッチ機構による蓋体の閉塞状態を解除することができるラッチ解除レバーと、上記集塵機によって収集されたダストを上記蓋体に設けた排出口を通して上記捕集容器内の集塵袋に送り込むことができる排出部とによって構成したことを特徴とする請求項１、２、３、４又は５に記載のダスト回収機構を備えた集塵装置。
【請求項７】
前記集塵機の機体又は集塵機取付台に、前記蓋体リフト用アームを上方に回動して、前記蓋体が前記捕集容器の上面口を開放した際に、蓋体リフト用アームをその上方回動位置に保持することができる係止部を設けると共に、前記ダスト送り込み用排出部の中間に伸縮部を設けたことを特徴とする請求項１、２、３、４、５又は６に記載のダスト回収機構を備えた集塵装置。
【発明の詳細な説明】
【技術分野】
【０００１】
本発明は、工場等に設置された各種の工作機械や、作業現場等から発生するダストを収集する集塵装置に関するものであって、具体的には、集塵機によって収集されたダストを、周囲に飛散させることなく捕集容器内の集塵袋に回収して、廃棄処理を容易に行えるように工夫したダスト回収機構を備えた集塵装置に関するものである。
【背景技術】
【０００２】
従来より使用されている集塵装置では、収集したダストを鉄製の堅牢な捕集容器に直接回収して、捕集容器が回収したダストで満杯になったら、ごみ捨て場に行って中のダストを廃棄することにより、空になった捕集容器を再度利用する仕組みに成っていて、一般的には、上記ダストの廃棄処理を専門の産業廃棄物業者に依頼している。    
【０００３】
また、上記ダストの廃棄処理を専門の産業廃棄物業者に依頼するには、通常の場合、捕集容器と成るドラム缶等の中に収納されているビニール袋にダストを回収することにより、ドラム缶ごと処分を依頼して、後日ドラム缶を返却してもらう方式が採られている。
【０００４】
しかし、ダスト回収用の集塵袋をドラム缶等の捕集容器内に収納した場合、集塵機の集塵運転が始まると捕集容器内の圧力が負圧になってしまうため、上記の集塵袋がこの負圧によって圧着状態に変形して、ダストを回収できなくなる問題があった。
【０００５】
また、上記の集塵袋に回収したダストを廃棄処理するには、先ず捕集容器の上面口を覆っていた上蓋（蓋体）を手作業にて開くか、又は、取り外すことによって、捕集容器の上面口を開放し、次いで、捕集容器を集塵機側から取り外す必要があって、作業が非常に煩雑であると共に、これ等煩雑な作業工程中に集塵袋に回収していたダストが外部に飛散してしまう問題もあった。
【０００６】
そこで従来は、上記負圧の調整に関しては、例えば特許文献１に記載の「集中型真空集塵装置」に見られるように、集塵機の本体と塵埃収納容器（捕集容器）内を空気ホースで接続して、集塵機と当該容器内に収納されている塵埃収納袋（集塵袋）の内外の圧力を同一に調整していた。また、上蓋の開閉に関しては、特許文献２に記載の「サイクロン式集塵装置」に見られるように、捕集容器の上蓋の開閉を操作レバーで行うようにしていた。
【特許文献１】登録実用新案第３０２７７６２号公報
【特許文献２】特開２００１−１２１０４０号公報
【発明の開示】
【発明が解決しようとする課題】
【０００７】
ところが、上記特許文献１に記載の集塵装置は、集塵機本体と塵埃収納容器との間を空気ホースで接続した構造であるため、構造が複雑化して製造コストが高くなると共に、吸引された空気中に含まれる塵埃を捕集する塵埃捕集手段（集塵機本体）内に、空気ホースに接続された通気管が張り出しているため、吸引されて落下して来る塵埃（ダスト）回収の妨げとなる問題があった。
【０００８】
更に上記特許文献２に記載のサイクロン式集塵装置は、捕集容器の蓋体を操作レバーで開閉する機能は備わっているものの、集塵運転の開始時には捕集容器内は大気圧状態であるのに対して、集塵機内に負圧に成るため、蓋体が浮き上がってダストが外部に噴出してしまう問題があった。
【０００９】
加えて、捕集容器を集塵装置より取り外した後、操作レバーをそのまま放置すると、蓋体が下方に降りてしまって、再度捕集容器を集塵装置に取付けて集塵する場合は、その都度操作レバーを手で押し上げる必要があって、操作が著しく煩雑化する問題があった。
【００１０】
従って本発明の技術的課題は、比較的簡単な構造で、且つ、ダストの回収に影響を及ぼさない機構を用いて、集塵機と集塵袋内の負圧が同一と成る条件下で集塵運転を行うことができるように構成すると共に、集塵運転時における蓋体の浮き上がりを防止し、更に、集塵機への捕集容器のセットを操作レバーに邪魔されることなくスムーズに行えるように工夫したダスト回収機構を備えた集塵装置を提供することである。
【課題を解決するための手段】
【００１１】
（１）  上記の技術的課題を解決するために、本発明の請求項１に係るダスト回収機構を備えた集塵装置は、工場に設置された工作機械や作業現場から発生するダストを収集して、捕集容器内の集塵袋に回収した後、この集塵袋を捕集容器内より取り出して廃棄処理するように構成した集塵装置であって、開口された上記捕集容器の上面口を塞ぐ蓋体と、収集されたダストを蓋体に設けた排出口を通して上記捕集容器内の集塵袋に送り込んで回収せしめる排出部と、上記集塵袋の上端口を開口状態に保持することができる環状体と、上記集塵袋の上端口に取付け自在に構成した環状体を、上記捕集容器の内側部に対して、上記蓋体の底面及び捕集容器の内側面との間に夫々間隔を保った状態で据え付けることができる保持具とによって構成したことを特徴としている。
【００１２】
（２）  次に、本発明の請求項２に係るダスト回収機構を備えた集塵装置は、前記環状体の全体が、前記捕集容器の上部内側に据え付け可能なリング状に形成され、前記保持具が、一方に上記集塵袋の上端口に取付けた環状体に取付け可能な固定具を備え、他方には上記捕集容器の内側面又は外側面に固着可能な固着具を備えると共に、これ等固定具と固着具の間がワイヤー又は紐体で造った連結体にて連結して構成されていることを特徴としている。
【００１３】
（３）  次に、本発明の請求項３に係るダスト回収機構を備えた集塵装置は、前記環状体に取付け可能な固定具がクリップ状の挟持具であり、前記捕集容器の内側面又は外側面に固着可能な固着具が、永久磁石を用いて構成されていることを特徴としている。
【００１４】
（４）  次に、本発明の請求項４に係るダスト回収機構を備えた集塵装置は、前記環状体が、前記捕集容器の内部に収納可能で、且つ、下端部の内径を上端部の内径よりも若干大きく形成した自立型の断面略円筒状に形成されると共に、前記クリップ状に形成した固定具が、上記円筒状環状体の内部に収めた前記集塵袋の上端口を、当該円筒状環状体の上端縁に取付けるように構成したことを特徴としている。
【００１５】
（５）  次に、本発明の請求項５に係るダスト回収機構を備えた集塵装置は、前記捕集容器の上面口を塞ぐ蓋体の底面に、前記排出部及び排出口を通して落下して来るダストを前記集塵袋の内部にガイドするガイド筒体を垂設すると共に、このガイド筒体の外側に前記リング状の環状体、又は、前記円筒状環状体の上端部が間隔を開けた状態で配置されることを特徴としている。
【００１６】
（６）  また、本発明の請求項６に係るダスト回収機構を備えた集塵装置は、ダストを収集する集塵機の機体又は集塵機取付台に設けた支点部と、この支点部に回動自在に取付けられた前記捕集容器の蓋体を上下に開閉作動するための蓋体リフト用アームと、蓋体リフト用アームの中間部と、上記蓋体の上部との間を連結する中間連結部材と、上記蓋体リフト用アームの中間部と、その上方部に位置する上記集塵機の機体又は集塵機取付台との間に設けられていて、蓋体リフト用アームによって蓋体が上記捕集容器の上面口を塞いだ状態に降下作動されると、この塞いだ状態を維持できるように構成されたラッチ機構と、当該ラッチ機構による蓋体の閉塞状態を解除することができるラッチ解除レバーと、上記集塵機によって収集されたダストを上記蓋体に設けた排出口を通して上記捕集容器内の集塵袋に送り込むことができる排出部とによって構成したことを特徴としている。  
【００１７】
（７）  更に、本発明の請求項７に係るダスト回収機構を備えた集塵装置は、前記集塵機の機体又は集塵機取付台に、前記蓋体リフト用アームを上方に回動して、前記蓋体が前記捕集容器の上面口を開放した際に、蓋体リフト用アームをその上方回動位置に保持することができる係止部を設けると共に、前記ダスト送り込み用排出部の中間に伸縮部を設けたことを特徴としている。
【００１８】
上記（１）で述べた手段によれば、ダストを集塵機で収集し、一旦集塵機の下側に設けられた捕集容器内の集塵袋に貯蔵して、その後捕集容器毎廃棄する集塵装置において、捕集容器の内側に収納した集塵袋の上端部を環状体に集塵袋保持具の一端で固着し、他方を捕集容器に固定する。環状体と捕集容器及び容器の蓋体との間には間隔を空け、通気性を持たせて設置する。そのため、集塵袋の内外を集塵機内の圧力と同一にすることができるものであって、その結果、集塵袋が集塵機の吸引時の負圧によって収縮する様な変形が発生しないので、ダストを支障なく回収することを可能にする。
【００１９】
上記（２）で述べた手段によれば、集塵袋はリング状に形成された環状体によってその上端口が開口状態に維持され、また、この環状体はワイヤー又は紐体で造った連結体から成る保持具によって捕集容器の上部内側に据え付けられるため、捕集容器の内部に落ち込まないように確実に装着されて、集塵機より排出部を通して落下して来るダストを、集塵袋の内部に確実に回収することができると共に、ダストの廃棄時には、上記の保持具を外すことによって集塵袋を容易に捕集容器から取り出して、廃棄することを可能にする。また、保持具や環状体はリサイクルすることができる。
【００２０】
上記（３）で述べた手段によれば、集塵袋の上端口を環状体に取付けるための固定具が、クリップ状の挟持具によって構成されており、また、捕集容器に固着可能な固着具が永久磁石を用いて構成されているため、捕集容器をドラム缶のような鉄製の容器を用いることにより、ダスト廃棄時の集塵袋の着脱を極めて簡単に、且つ、確実に行うことを可能にすると共に、捕集容器として既製品のドラム缶をそのまま使用することを可能にする。
【００２１】
上記（４）で述べた手段によれば、前記集塵袋を保持する環状体が自立型の断面略円筒状にに構成され、而も、捕集容器よりやや小さめの円筒形に形成されると共に、下端部の内径を上端部の内径よりやや大きく形成されている。従って、満杯になったダストを廃棄する場合、捕集容器内の集塵袋保持具を取り外す操作は、自立型円筒状環状体の下端部内径の方が上端側より大きい関係から、自立型円筒状環状体の内側にダストの入った集塵袋があっても取り出し易くなるため、ダストの廃棄処理を簡単に行うことを可能にする。また、この自立型円筒状環状体もリサイクルが可能であって、ダスト回収の経済性を高めることができる。
【００２２】
上記（５）で述べた手段によれば、捕集容器の蓋体の底面に、排出部を通って落下して来るダストを集塵袋の内部にガイドするためのガイド筒体が設けられているため、集塵機より落下して来るダストの全てを集塵袋内に回収せしめることができるものであって、捕集容器の入口からのダストの飛散を防止できると共に、後述するダスト平滑板の回転に際しても、変形し易い集塵袋の形態を保持して、回収したダストの上面を支障無く平滑化することを可能にする。
【００２３】
上記（６）で述べた手段によれば、蓋体リフト用アームを下方に作動すると、ラッチ機構によって蓋体が捕集容器の上面口を閉じた状態に維持されるため、集塵運転の開始によって集塵機側が負圧になっても、捕集容器内の大気圧で蓋体が押し上げられて開いてしまうことがなく、また、集塵運転時に間違えて蓋体リフト用アームを上方に回動して蓋体を開いてしまう失敗も防止できるものであって、従って、集塵運転の開始時に蓋体が不用意に開いてダストが噴出する問題を解決することができる。更に、上記ラッチ機構による蓋体の閉塞状態は、ラッチ解除レバーの操作によって簡単に解除できるため、必要に応じて蓋体の開放を可能にする一方、蓋体リフト用アームの上下回動による蓋体の開閉時には、排出筒の伸縮部が追従して伸縮するため、蓋体の開閉を支障無く行うことができる。
【００２４】
上記（７）で述べた手段によれば、ダストの廃棄に際して、持ち上げ回動して蓋体を開放せしめた蓋体リフト用アームを、係止部が上方に回動した位置に保持するため、次回セット時には、その状態から蓋体リフト用アームを係止部から外すだけで、捕集容器に蓋体を被せることを可能にする。
【発明の効果】
【００２５】
以上述べた次第で、本発明に係るダスト回収機構を備えた集塵装置によれば、ドラム缶等を用いた捕集容器の内部に収納するダスト回収用集塵袋と、集塵機の双方の内部の負圧を、集塵袋の上端口を環状体に取付け、且つ、この環状体を捕集容器の上面口を塞ぐ蓋体の底面、及び、捕集容器の内側面との間に夫々間隔を保った状態で据え付けるという比較的簡単で、且つ、低コストにて実現可能な機構（手段）によって同一に調整して、集塵運転時における集塵袋の変形を防止できる利点を備えた集塵装置を提供することができる。
【００２６】
更に本発明によれば、集塵運転時に捕集容器の蓋体が浮き上がる問題を解決でき、且つ、集塵機に対する捕集容器のセット作業をレバーやハンドル等に邪魔されずに円滑に行うことができる利点も備えるものであって、構成が簡単で実施が容易な点と相俟って、各種工場や作業現場等で使用される集塵装置として、頗る好適なものである。
【発明を実施するための最良の形態】
【００２７】
以下に、上述した本発明に係るダスト回収機構を備えた集塵装置の実施の形態を図面と共に説明すると、図１は集塵装置全体の正面図、図２は側断面図であって、これ等の図面において、１は集塵機、１０はこの集塵機１を所定の高さに支持する集塵機取付台で、集塵機１にはダストを含んだ含塵気流の吸込口２と、モータ６Ｍによって回転する集塵用ファン６及び排気口３Ａを備えたファン室３と、衝突板４と、フイルタ５が設けられ、集塵機取付台１０には下端部に移動用のキャスター１０Ｔを備えた計４本の支持脚１０Ａ…を有している。
【００２８】
２０はドラム缶等の金属製容器から成る捕集容器、２１は捕集容器２０の上面口２０Ｈ（図３、図５、図７参照）を塞ぐ蓋体、３０は当該捕集容器２０の内部に収納した例えばビニール袋のような集塵袋、ＤＳはこの集塵袋３０に回収されたダストで、前記集塵機１で捕集されたダストＤＳは、集塵機１の底面と上記蓋体２１の間を結ぶ排出筒１１を通って、上記集塵袋３０の内部に回収される仕組みに成っている。
【００２９】
尚、図１及び図２に示した排出筒１１において、１２はその下端部に連設した伸縮自在な蛇腹部、２１Ｔはこの蛇腹部１２の下端部に連通接続させるために、蓋体２１の上面に突設した接続筒を示し、更に、図２に示した断面図において、１Ｈは集塵機１の底面に開口した落下口、１１Ｈは上記排出筒１１の上端に開口されたダストの入口、２１Ｈは上記接続筒２１Ｔに設けたダストの排出口を示す。
【００３０】
次に、上記集塵袋３０を捕集容器２０の内部に装着するための構成を、上述した図２と、図３に示した要部の拡大断面図の記載に従って説明する。これ等の図面において、３１は全体を図４に示した拡大図に示すようにリング状に形成したプラスチック製又は金属製の環状体であって、このリング状の環状体３１を集塵袋３０の上端口に取付けることによって、集塵袋３０の入口が開口状態に維持される仕組みに成っている。
【００３１】
リング状環状体３１の直径は、捕集容器２０の上面口２０Ｈよりも若干小さく造られていて、このリング状環状体３１に対して集塵袋３０の上端口を複数個のクリップ状固定具３２…を用いて間隔的に挟持せしめることにより、リング状環状体３１に集塵袋３０が開口状態に取付けられる。
【００３２】
更に図中、３４はワイヤーや紐等の連結体３３を介して上記固定具３２に連結した内側面用の固着具、３５は同じく連結体３６を介して上記の固着具３４に連結した外側面用の固着具を示す。これ等の各固着具３４，３５は各固定具３２ごとに設けられていて、図３に示すようにこれ等内外の固着具３４，３５を、内部に取付けた永久磁石３４Ｓ，３５Ｓを用いて金属製捕集容器２０の内外両側面に夫々吸着することにより、リング状環状体３１が捕集容器２０における上面口２０Ｈの内側に吊下げ状態に支持され、その結果、集塵袋３０が図２並びに図３の如く捕集容器２０の内部に開口状態に、且つ、交換自在に収納される仕組みに成っている。尚、図３では内外２つの固着具３４，３５を用いて固定具３２を捕集容器２０に取付けているが、これを内外いずれか一方の固着具３４又は３５のみで取付けるようにしてもよく、その選択は任意とする。
【００３３】
図３において符号３２Ｘで全体的に示したのは、上述した固定具３２と連結体３３，３６、及び、固着具３４，３５によって構成された保持具であって、上述した集塵袋３０は、これ等の保持具３２Ｘと前述したリング状環状体３１によって、捕集容器２０の内側部に対して、上記蓋体２１の底面及び捕集容器２０の内側面との間に夫々間隔を保った状態、即ち、通気性を保った状態で据え付けることができるものであって、その結果、集塵袋３０の内外を集塵機１内の圧力と同一にして、集塵袋３０が集塵機１の吸引時の負圧によって収縮変形することを防止している。尚、上記のリング状環状体３１と保持具３２Ｘは、いずれもリサイクルが可能であることは勿論である。
【００３４】
また、図５において５０は前記請求項４に記載した自立型の円筒状環状体を示す。例えば網目体又はパンチメタル等を用いて全体を軽量に、また、リサイクル可能に造ったこの環状体５０は、図示の如く捕集容器２０の内部に収納可能で、且つ、下端部の内径を上端部の内径よりも若干大きく形成した自立型の断面略円筒状に形成されていて、捕集容器２０の内部に収めたこの自立型円筒状環状体５０の内側に集塵袋３０を収納し、且つ、この集塵袋３０の上端口を、複数のクリップ状固定具３２…によって上記環状体５０の上端縁に間隔的に挟持固定することにより、集塵袋３０が前記図２と図３で説明した同じ条件、即ち、蓋体２１の底面及び捕集容器２０の内側面との間に夫々間隔を保った状態で、捕集容器２０の内部に収納される仕組みに成っている。
【００３５】
更に図中、３０Ｔは前記請求項５に記載のガイド筒体であって、上記蓋体２１の底面に下方に向けて垂設されたこのガイド筒体３０Ｔは、蓋体２１の排出口２１Ｈから下側に向けて排出されるダストＤＳを、周囲に飛散させることなく全て集塵袋３０の内部に落とし込むことができる。
【００３６】
次に、図２並びに図６、図７において、１３は集塵機１又は集塵機取付台１０に設けたブラケット、１５は根端部を軸１４を用いてこのブラケット１３の下端部に上下回動自在に取付けた蓋体リフト用アーム、１６はこのアーム１５の中間部と、上記蓋体２１の上面に設けた取付けフレーム２１Ｋの間に取付けた長さ調節自在な中間連結部材、１５Ｋは左右に並設した上記蓋体リフト用アーム１５，１５（図１参照）の先端部間に架設した操作用グリップ軸で、このグリップ軸１５Ｋを握って、左右の蓋体リフト用アーム１５，１５を図６の状態から図７の状態に上方に持ち上げ（押し上げ）回動すると、捕集容器２０の上面口２０Ｈを塞いでいた蓋体２１を、中間連結部材１６が図７の如く上方に引き上げて上面口２０Ｈを開放する仕組みに成っている。
【００３７】
更に図中、１７Ａと１７Ｂは、前記請求項６に記載されているラッチ機構を構成する第１リンク体と第２リンク体で、下端部を上記蓋体リフト用アーム１５の中間部に回動自在に取付けた第１リンク体１７Ａの上端部と、上端部を上記集塵機取付台１０側に回動自在に取付けた第２リンク体１７Ｂの下端部とを、軸１７Ｃで回動自在に連結して構成したこのラッチ機構は、図６の如く蓋体リフト用アーム１５を下方に回動して、捕集容器２０の上面口２０Ｈを蓋体２１が塞いだ（閉じた）状態の時は、両リンク体１７Ａ，１７Ｂが伸張状態に保持されて、蓋体リフト用アーム１５の上方への回動が制止されるため、蓋体２１を閉じた状態に維持（ロック）することができる。
【００３８】
しかし、ラッチ解除レバー１７を用いて両リンク体１７Ａ，１７Ｂを第７図の如く略く字状に屈折すると、ロック（制止）が外れて蓋体リフト用アーム１５を上方へ回動することが可能に成るため、蓋体２１を上昇して捕集容器２０の上面口２０Ｈを開放できるものであって、その結果、捕集容器２０を集塵機取付台１０の下側より外部に取り出したり、或いは、集塵機取付台１０をキャスター１０Ｔ…を利用して捕集容器２０の上側部より移動したりして、内部の集塵袋３０に回収したダストＤＳの廃棄処理を行うことができる。
【００３９】
また、図中４０は、上方に回動した蓋体リフト用アーム１５の操作用グリップ軸１５Ｋを引っ掛けることにより、蓋体リフト用アーム１５を図７の如く上方回動位置に係止することができる係止部を示す。更に図１において、１９はフイルタ交換表示灯１９Ａとダスト満杯表示灯１９Ｂとパイロットトランプ１９Ｃと操作スイッチ１９Ｓとを備える制御盤、７は集塵機１の内底部に設けたダスト排出用の回転バーで、７Ｍはその回転用モータ、２２は蓋体２１に取付けたダスト満杯検知用センサで、２２Ａはその検知用回転羽根、２３Ａはダスト平滑用バーで、２３はその回転用モータを示す。
【図面の簡単な説明】
【００４０】
【図１】本発明の実施例に係る集塵装置の集塵運転時の状態を示した正面図。
【図２】本発明の実施例に係る集塵装置の集塵運転時の状態を示した側断面図。
【図３】本発明の要部を拡大して示した断面図。
【図４】リング状環状体の斜視図。
【図５】本発明の実施例である自立型環状体の使用例を説明した断面図。
【図６】蓋体を閉じた状態を示した本発明の側面図。
【図７】蓋体を開いた状態を示した本発明の側面図。
【符号の説明】
【００４１】
１          集塵機
５          フイルタ
１０        集塵機取付台
１１        排出筒
１２        伸縮部（蛇腹部）
１５        蓋体リフト用アーム
１５Ｋ      操作用グリップ軸
１６        中間連結部材
１７        ラッチ解除レバー
１７Ａ，１７Ｂ        リンク体
２０        捕集容器
２０Ｈ      上面口
２１        蓋体
２１Ｈ      排出口
３０        集塵袋
３０Ｔ      ガイド筒体
３１        環状体（リング体）
３２        固定具（クリップ）
３２Ｘ      保持具
３３，３６          連結体
３４，３５          固着具
３４Ｓ，３５Ｓ      永久磁石
４０        係止部
５０        自立型円筒状環状体
５０Ｘ      上端縁
ＤＳ        ダスト
【図１】
0004789668.tif 000002
【図２】
0004789668.tif 000003
【図３】
0004789668.tif 000004
【図４】
0004789668.tif 000005
【図５】
0004789668.tif 000006
【図６】
0004789668.tif 000007
【図７】
0004789668.tif 000008